(57)【要約】【課題】携帯型無線通信機の操作制御が可能な無線マウスを提供する。【解決手段】本考案の無線マウスの外表面には基本的な左ボタン１０１、右ボタン１０２とローラ式ボタン１０３を備えるほか、更にリセットキー１１と、電源スイッチ１２と、プッシュリリース型キー１３と、モジュール設定選択スイッチ１４及び快速キー１５が設け加えられ、マウスの内部には２．４ＧＨｚ無線伝送モジュール１６とプログラムコントロールマイクロプロセッサー１７が設置され、これによって無線マウスは一方では支え物の表面で手で容易に任意方向のスライドをすることができ、他方では支え面を離れて指で直接プッシュリリース型キー１３を操作制御することができ、無線電波によって携帯型無線通信機のスクリーンに標示された内容に対して任意の無線電波の移動変更を行う。【選択図】図２
0003138938.tif 000002
【実用新案登録請求の範囲】
【請求項１】
携帯型無線通信機の操作制御が可能な無線マウスであって、
一対の左ボタンおよび右ボタン、制御される無線通信機の快速スクリーン転換を便利にするローラ式ボタン、および前記無線マウスの底面に設置され、光を通して集像機能を備える光学エレメント、からなる外表面と、
双方がコミュニケーション可能でカットされることを防止する組み合わせコード及び資料であり編集処理を経た特殊直列格式の無線電波を含む２．４ＧＨｚ無線伝送モジュール、発光器が前記光学エレメントを経て折り返した信号を受信して処理を行うことが可能な光学誘導モジュール、前記発光器と省電力の安定状況において作業可能な電源管理回路と電池セット、および全体回路の運行作業を制御するプログラムと処理ユニットであるコントロールマイクロプロセッサー、からなる内部と、
を備え、
前記コントロールマイクロプロセッサーは前記左ボタン、前記右ボタン、前記ローラ式ボタン、前記光学誘導モジュール、前記発光器、および前記電源管理回路に接続され、
支え面上の操作において任意方向のスライドが可能であり、スライドの際に前記光学誘導モジュールを動かして信号を発生し、無線伝送モジュールによって携帯型無線通信機に伝送されることを特徴とする無線マウス。
【請求項２】
前記外表面は、携帯型無線通信機との間のオンライン動作を再起動させるリセットキーを備え、
前記リセットキーは前記コントロールマイクロプロセッサーに接続されることを特徴とする請求項１記載の無線マウス。
【請求項３】
前記外表面は、オンまたはオフを制御する電源スイッチを備え、
前記電源スイッチは前記コントロールマイクロプロセッサーに接続されることを特徴とする請求項１記載の無線マウス。
【請求項４】
前記外表面は、異なる方向の信号を発信させるプッシュリリース型キーを備え、
前記プッシュリリース型キーは前記コントロールマイクロプロセッサーに接続されることを特徴とする請求項１記載の無線マウス。
【請求項５】
前記外表面は、異なる作業システムのニーズが受容可能なモジュール設定選択スイッチを備え、
前記モジュール設定選択スイッチは前記コントロールマイクロプロセッサーに接続されることを特徴とする請求項１記載の無線マウス。
【請求項６】
前記外表面は、メニュー選択の執行またはゲーム時の武器触発機能に用いられる快速キーを備え、
前記快速キーは、前端部中間位置に配置されて左、右きき使用者がともに容易に操作可能であり、前記コントロールマイクロプロセッサーに接続されることを特徴とする請求項１記載の無線マウス。
【請求項７】
前記発光器は、ビジュアルスペクトラム範囲の発光ダイオードであることを特徴とする請求項１記載の無線マウス。
【考案の詳細な説明】
【技術分野】
【０００１】
本考案は、無線マウスの構造改善に関するもので、特に携帯型無線通信機の操作制御が可能な無線マウスに関するものである。
【背景技術】
【０００２】
無線通信器材には種類が多く、例えば室内電話、市民バンド(walkie-talkie)、警察無線、ハム(ham)、インターフォン及び携帯電話等があり、現在では携帯電話の普及率がもっとも高く、特に３Ｇ(third  generation)携帯通信技術が積極的に利用される。従って、携帯電話でのインターネットを使用したゲームは将来も流行すると思われるが、携帯電話は体積及びスクリーンが小さく、キーも更に小さいので操作制御が不便であり、特に、ゲーム時にキーによる操作制御を迅速に変換することは困難である。
【０００３】
マウスはノートブック型コンピュータ、あるいはパソコンに必須の周辺設備であり、ノートブック型コンピュータを携帯して外出する場合、同時にマウスを携帯しなければならない。マウスはノートブック型コンピュータの操作制御に用いられ、携帯電話の操作制御にも使えれば一挙両得である。
【０００４】
現在の携帯電話の多くは８００−２０００ＭＨｚの周波数で伝送を行い、２．４ＧＨｚ周波数の無線高周波の電波伝送機能には接続線を使う必要がなく、１００メートルの範囲内で情報を伝送できるというメリットがある。特に、有線ソケットの形状はメーカー毎に多様であり、仕様を統一することができないため、無線で伝送する方法は接続線を使用する際の上記制限を受けずに通話を行い、互いに意思を伝達することを可能にし、使用者にとって大きなメリットをもたらす。
【０００５】
現在の２．４ＧＨｚ周波数の無線電波伝送機能を持った携帯電話と周辺設備の伝送機能はファイルの伝送だけを重視し、携帯電話からファイル（例えば写真ファイル、音楽ファイル、情報ファイル等）を携帯電話とオンラインした周辺設備（例えば無線伝送イヤーフォン、無線伝送プリンター、無線伝送NB型コンピュータ等）に伝送するが、携帯電話の操作制御ができる無線伝送キーボードまたは無線伝送マウスは現在もなお知られていない。携帯電話の機能はますます発展し、パソコンの機能に近づくので、携帯電話のスクリーンに対する制御方法は、将来は現在のパソコンと同様にマウスで制御するようになり、携帯電話のゲームもマウスで制御するべきである。
【０００６】
本考案の考案者は長年来パソコンゲームの周辺設備の製造に従事し、かつ会社を設立してパソコンゲームのソフトと携帯電話のソフトの両方を手がけ、ゲームを如何に操作したら使いやすくなるかについて充分に了解し、手近にあるマウスを使用して携帯電話を操作制御することが携帯電話によるゲームをするのにもっとも便利で、使いやすい選択であると認識し、チームで研究開発を行った末に以下の考案を生み出すことができた。
【考案の開示】
【考案が解決しようとする課題】
【０００７】
本考案の目的は、斬新な携帯型無線通信機の操作制御が可能な無線マウスを提供するものである。それは、一方が支え物の表面で手で軽易に任意方向にスライドすることができ、他方が支え面を離れて指で直接プッシュリリース型キーを操作制御することができるものである。無線マウスの使用状態を変えた場合、対応する特殊格式の無線電波は無線マウスから発信され、並びに使用者の見える範囲内にあるこの電波に制御される携帯型無線通信機に配置されたスクリーンの標示内容に対して目的のある変更を行う。
【課題を解決するための手段】
【０００８】
上記目的を達成するため、本考案が設計したマウスの構造の外表面には、
スクリーンの物件内容に対して「直ちに執行」の指令を下せる一対の左ボタン及び物件内容を調べる右ボタンと、
制御される無線通信機の快速スクリーン転換を便利にするローラ式ボタンと、
無線マウスと携帯型無線通信機間のオンライン動作を再起動させるリセットキーと、
無線マウスのオンまたはオフを制御する電源スイッチと、
無線マウスに違う方向の信号を発信させ、本考案にゲーム機のスイングスチック(swing stick)に類似した機能を具えるプッシュリリース型キーと、
無線マウスに違う作業システムのニーズを受け入れるようにするモジュール設定選択スイッチと、
メニュー選択の執行またはゲーム時の武器触発機能に用いられ、前端中間位置に配置されて左、右ききの使用者がともに容易に操作することができ、本考案にゲーム機のスイングスチックに類似した機能を具える快速キーと、
ビジュアルスペクトラム範囲の発光ダイオードと、光を通して暗影機能が発生し、屈折集像機能が発生する光学エレメントで、それがレーザマウスであればレーザ発射器をもって発光ダイオードと入れ替わるものとを含む。
【０００９】
内部は各種電気機能の部品を載せて連結する多層型プリント回路板であって、それには更に、
２．４ＧＨｚ無線伝送モジュールと、
全体回路の運行作業を制御するプログラムコントロールマイクロプロセッサーで、それは左、右ボタン、ローラ式ボタン、光学誘導モジュール、発光器、電源管理回路に接続されるものと、
映像を受信するビジュアルスペクトラム範囲の光学誘導モジュールと、前後二つの映像の差異を比較するコントロールチップ（本考案の説明ではプログラムコントロールマイクロプロセッサーを指す）で、それをもって移動の方向と距離を出力するものと、
回路が省電力の安定状況で作業できる電源管理回路と電池セットとを含む。
【００１０】
上記によって構成された無線マウスと制御される携帯型無線通信機間の通信方式は、内部に双方の識別コードを含む特殊直列格式の無線電波の相互の受発信によって達成され、更に進んで使用者の見える範囲内に位置し、この電波に制御される携帯型無線通信機に配置されたスクリーンの表示内容に対して目的のある変更を行う。
【００１１】
（発明の効果）
携帯型無線通信機の操作制御が可能な無線マウスの一種で、無線マウスの外表面には基本的な左、右ボタンとローラ式ボタンを備えるほか、更にリセットキーと、電源スイッチと、プッシュリリース型キーと、モジュール設定選択スイッチ及び快速キーが設け加えられ、マウスの内部には２．４ＧＨｚ無線伝送モジュールとプログラムコントロールマイクロプロセッサーが設置され、これによって無線マウスは一方では支え物の表面で手で軽易に任意方向のスライドをすることができ、他方では支え面を離れて指で直接プッシュリリース型キーを操作制御することができ、無線電波によって携帯型無線通信機のスクリーンに標示された内容に対して任意の無線電波の移動変更を行うことができる。
【考案を実施するための最良の形態】
【００１２】
以下、本考案の実施例を図面を参照して説明する。
本考案の一実施例による無線マウスの外観構造図を図１に示す。
マウス１は外表面と内部を備え、外表面の配置は、
コントロールマイクロプロセッサー１７に接続され、操作しやすい左、右ボタン１０１、１０２と、
コントロールマイクロプロセッサー１７に接続され、制御される無線通信機の快速スクリーン転換を便利にするローラ式ボタン１０３と、
コントロールマイクロプロセッサー１７に接続され、無線マウス１と携帯型無線通信機２間のオンライン動作を再起動させ、オプションエレメントでもよいリセットキー１１と、
コントロールマイクロプロセッサー１７に接続され、無線マウス１のオンまたはオフを制御し、オプションエレメントでもよく、電源管理回路１９を経てコントロールマイクロプロセッサー１７に接続されてもよい電源スイッチ１２と、
コントロールマイクロプロセッサー１７に接続され、無線マウス１に違う方向の信号を発信させ、オプションエレメントでもよいプッシュリリース型キー１３と、
コントロールマイクロプロセッサー１７に接続され、無線マウス１に違う作業システムのニーズを受け入れるようにし、オプションエレメントでもよいモジュール設定選択スイッチ１４と、
コントロールマイクロプロセッサー１７に接続され、メニュー選択の執行またはゲーム時の武器触発機能に用いられ、作用は左ボタン１０１に類似し、図１Ａに示す如く無線マウス１の前端中間位置に配置されて左、右きき使用者がともに容易に操作することができ、オプションエレメントでもよい快速キー１５と、
図面には示されていない無線マウス１の底面に設置され、光を通して集像機能を備える光学エレメントとを含む。
【００１３】
次に、本考案の一実施例による無線マウスの回路構造図を図２に示す。
無線マウス１の内部には各種電気機能の部品を載せて連結する多層型プリント回路板が配置され、その構成は、
中に双方がコミュニケーションでき、並びにカットされることを防止する組み合わせコード及び資料であり、すでに編集処理を経た特殊直列格式の無線電波を含む２．４ＧＨｚ無線伝送モジュール１６と、
それぞれ各エレメントに接続し、全体の信号制御を行い、全体回路の運行作業を制御するプログラムコントロールマイクロプロセッサー１７と、
コントロールマイクロプロセッサー１７に接続されるビジュアルスペクトラム範囲の光学誘導モジュール１８と発光器１８１とで、一般のビジュアルスペクトラム範囲の赤光発光ダイオードは発光器１８１である、
コントロールマイクロプロセッサー１７に接続され、回路が省電力の安定状況で作業できる電源管理回路１９と電池セット１９１とを含む。
上記外表面及び内部の各ユニットの構成により、完全な携帯型無線通信機の操作制御が可能な無線マウスが構成される。
【００１４】
本考案の一実施例による無線マウスと携帯型無線通信機の使用状況を図３に示す。
本考案の無線マウス１が実際に携帯型無線通信機２と組み合わせて使用される場合、新しい電池が装入され、電源スイッチ１３がオンされて回路が正常に作業すると、発光器１８１は点灯し、光線は無線マウス１底部の障害物に当たり、反射した光線は集光成像機能のある光学エレメントを経て細い明るいビームになって光学誘導モジュール１８に照射し、それに分布される光誘導ユニットの受光分布状況によって信号をプログラムコントロールマイクロプロセッサー１７へ送り出し、全体無線マウス１がどの方向へ移動するか、どれぐらい移動するかを計算し、このデータを事前に準備された信号格式の識別コードに加入し、２．４ＧＨｚ無線伝送モジュール１６の発射端の入力口に入力し、更にその無線モジュールから２．４ＧＨｚ周波数の通信仕様に符合する搬送波をもって入力されたデータを射出し、組み合わせられたい携帯型無線通信機２によって受信し、このように無線マウス１が発信する各種制御信号を通じ、携帯型無線通信機２に配置されるスクリーンの標示内容に対して目的のある変化を行う。
【００１５】
無線マウス１の底部に設けられる発光器１８１は無線マウス１本体がある時間移動しないと暗くなり、本体が移動すると直ちに明るくなるが、２．４ＧＨｚ無線伝送モジュール１６も同じであり、静止後はある時間おきに疎通コードだけを発信し、信号があれば電波を密集に送り出し、それの目的は電池セット１９１の有限な電力を節減し、それによってより長く使用できるようにする。
【００１６】
なお、本考案のマウス１の外表面各種制御ボタンの作用を次の如く説明する。
左ボタン１０１、右ボタン１０２、ローラ式ボタン１０３はすべて従来のマウス装置と同じで、それらが担うのはファイルの執行、調査とページ捲りの機能である。
リセットキー１１は本考案の無線マウス１と制御される携帯型無線通信機２がオンラインできないときに、このキーを押せば発射モジュールは改めて全部の通信バンドをスキャンし、新たにオンライン動作を起こすことに用いられる。
【００１７】
モジュール設定選択スイッチ１４は全体回路が違う作業システムで作業することを設定する。
快速キー１５の機能は左ボタン１０１と同じく、メニュの執行またはゲーム時の武器触発機能に用いられ、前端中間に近い位置に設置した理由は左、右ききの使用者がともに容易に操作できるようにするためである。
【００１８】
特に、無線マウス１表面のやや凹入する孔内に設置されたプッシュリリース型キー１３には従来のマウスが上下左右に移動する機能と入れ替わる効果を備え、それは本考案の無線マウス１が本体を移動しない状況に於いて、それぞれこのプッシュリリース型キー１３中の任意のキーを押せば、制御される携帯型無線通信機２のスクリーンのカーソルを予定位置に移動する機能が達成し、本考案はゲームのスイングスチックに類似した効用があるようになる。
【００１９】
上述した説明の通り、、本考案の携帯型無線通信機の操作制御が可能な無線マウスは確かに上記目的と効果を達成することができ、かつ無線マウスの多機能化使用効果を大幅に向上し、並びに絶好な使用の便利性と動機性を備え、進歩性と実用性をも備える。
【図面の簡単な説明】
【００２０】
【図１】本考案の一実施例による外観図である。
【図１Ａ】図１に示すＸ部の拡大図である。
【図２】本考案の一実施例による回路ブロックダイアグラムである。
【図３】本考案の一実施例による使用状態を示す図である。
【符号の説明】
【００２１】
１：無線マウス、１０１：左ボタン、１０２：右ボタン、１０３：ローラ式ボタン、１１：リセットキー、１２：電源スイッチ、１３：プッシュリリースキー、１４：モジュール設定選択スイッチ、１５：快速キー、１６：２．４ＧＨｚ無線伝送モジュール、１７：プログラムコントロールマイクロプロセッサー、１８：光学誘導モジュール、１８１：発光器、１９：電源管理回路、１９１：電池セット、２：携帯型無線通信機
【図１】
0003138938.tif 000003
【図１Ａ】
0003138938.tif 000004
【図２】
0003138938.tif 000005
【図３】
0003138938.tif 000006